(57)【要約】【課題】  １針床又は２針床編物の編目の引下げが最適なやり方で可能となるように、横編機のシンカを構成する。【解決手段】  横編機の編目を引下げるシンカ１が複数の編目引下げ面１２、１３，１３．１，１３．２を持っている。【選択図】  図１
2005113366.tif 000002
【特許請求の範囲】
【請求項１】
編目を引下げるための横編機のシンカ（１，１′）において、シンカ（１，１′）が複数の編目引下げ面（１２，１２′，１３，１３′，１３．１，１３．１′，１３．２，１３．２′）を持っていることを特徴とするシンカ。
【請求項２】
シンカ（１，１′）が、１針床編物用編目引下げ面（１２，１２′）及び２針床編物用編目引下げ面（１３、１３′，１３．１，１３．１′，１３．２，１３．２′）を持っていることを特徴とする、請求項１に記載のシンカ。
【請求項３】
複数の編目引下げ面（１２，１２′，１３，１３′，１３．１，１３．１′，１３．２，１３．２′）がシンカ（１，１′）の異なる周囲個所、同じか又は異なる距離の周囲個所に設けられていることを特徴とする、請求項１又は２に記載のシンカ。
【請求項４】
複数の編目引下げ面（１２，１２′，１３，１３′，１３．１，１３．１′，１３．２，１３．２′）が、シンカ（１，１′）の回転軸線（１８）に対して、実質的に半径方向の向きを持っていることを特徴とする、請求項１〜３の１つに記載のシンカ。
【請求項５】
シンカ（１，１′）が編目を形成するための機能面（１１）を持っていることを特徴とする、請求項１〜４の１つに記載のシンカ。
【発明の詳細な説明】
【技術分野】
【０００１】  本発明は編目を引下げるための横編機のシンカに関する。
【背景技術】
【０００２】  横編機のこのようなシンカは例えば欧州特許第０２３８７９７号明細書及び欧州特許第０４２４７１７号明細書から公知である。欧州特許第０２３８７９７号明細書に記載の横編機のシンカは、同時に編目引下げ素子及び編目押出し片であり、欧州特許第０４２４７１７号明細書に記載の横編機のシンカは編目引下げ機能のみを果たし、針床に固定的に設けられた編目押出し片と共同作用する。しかしこれら両方の公知の横編機のシンカに共通して同じ欠点がある。即ち両方のシンカは１つの編目引下げ面しか持っていないので、１針床編物及び２針床編物の編目を確実に引下げることは不可能である。【０００３】  フランス国特許第１２０７３１９号明細書から、編目引止めかぎを持ちかつ揺動可能に支持される編目押出し片が公知である。この編目押出し片の揺動運動は、回転中心の下及び編目引止めかぎの下に設けられている並進運動可能な滑り片により導入される。編目引止め機能を持つこの公知の編目押出し片においても、１針床及び２針床編物の編目の均一に確実な編目引下げ機能は与えられない。【０００４】  欧州特許第０５６７２８２号明細書は、個別針駆動される横編機用編目引止めかぎを持つ揺動可能な編目押出し片を示している。編目押出し片の揺動運動は並進運動する滑り片により導入される。この滑り片は針に摩擦結合しているので、針と同じ向きの運動のみを行うことができる。ここでも編物の種類即ち２針床又は１針床編物に応じた編目引止め機能の変化は行われない。
【発明の開示】
【発明が解決しようとする課題】
【０００５】  本発明の基礎になっている課題は、１針床又は２針床編物の編目引下げが最適なやり方で可能となるように、横編機のシンカを改良することである。
【課題を解決するための手段】
【０００６】  この課題は、複数の編目引下げ面を持つシンカよって解決される。この構成により、１針床編物を製造するか、又は２針床編物を製造するかに関係なく、編目引下げ面の１つが確実な編目引下げの機能を引受けることができる。【０００７】  ２針床編物では、編目が対向する針床の編目引下げシンカにより引下げられる。そのため一般に、歯口間隙に関して、編目引下げシンカが自身の針床の編目を引下げる１針床編物の編目の引下げの際とは異なる高さ位置が必要である。複数の編目引下げ面が設けられていると、シンカは１針床編物にも２針床編物にも適している。【０００８】  更に、編目を最も低い所にある編目引下げ面からまず釈放する場合、付加的な編目引下げ面が固定機能を果たすこともできる。この編目はそれから次の面の１つにより捕捉される。編目引下げ面からの滑り落ちの危険は、特に大きい編目で存在する。なぜならば、この大きい編目は僅かな張力によってのみ編目引下げ面に当接しているからである。【０００９】  複数の編目引下げ面がシンカの異なる周囲個所、同じか又は異なる距離の周囲個所に設けられていると、有利である。【００１０】  複数の編目引下げ面は、シンカの回転軸線に対して、実質的に半径方向の向きを持っていることができる。【００１１】  シンカの回転軸線は、なるべく針幹より上に設けることができる。この手段によっても、シンカの編目引下げ機能が確実に改善される。なぜならば、回転軸線が針床に比較的大きく離れて設けられている場合、編目引下げ面は下の揺動位置で編目を一層よく捕捉するからである。【００１２】  別の構成では、シンカは複数の編目引下げ面と少なくとも１つの編目押出し面を持つことができる。従ってシンカは編目引下げ機能と編目押出し機能とをまとめる。別の変形例では、シンカは複数の編目引下げ面のみを持ち、針床に固定的に設けられる片と共同作用することができる。【００１３】  本発明による２つの好ましいシンカが、横編機の使用される実施例として、図面により以下に詳細に説明される。
【発明を実施するための最良の形態】
【００１４】  図１の断面図は、横編機の編目引下げ及び編目押出し装置１００を示している。横編機のうち針床４が示され、この針床の溝４１に、針７が縦方向移動可能に案内されている。溝底は符号４２を付けられている。針床４は、前端面に、シンカ案内片３を受入れる溝４３を持ち、シンカ案内片３にシンカ１が揺動可能に案内されている。このためシンカ案内片３は円形切欠き３１を持ち、シンカ１の円形部分１４がこの切欠き３１へはまっている。こうしてシンカは、回転軸線１８のまわりに、矢印方向Ｄ及び逆矢印方向Ｄ′に限られた範囲で揺動可能である。揺動運動の限定は、シンカ案内片３によって同様に行われる。シンカ案内片３のストッパ面３３は、矢印方向Ｄにおけるシンカ１の開放運動を限定し、面３４は矢印方向Ｄ′へ下方への運動を限定する。針床とシンカ案内片３との結合は、針床を通って全長にわたって延びる針金４４を介して行われる。編目用の引下げ針金４５は、全部のシンカ１にある長穴１９に通されている。【００１５】  シンカ１は、編目形成用即ち編目押出し用の機能面１１，１針床編物の編目の引下げ用の作用面１２、及び２つの針床を持つ横編機における２針床編物の場合対向する針床の編目の引下げ用の別の作用面１３、１３．１，１３．２を持っている。矢印方向Ｄ又はＤ′におけるシンカの揺動運動は、ばね素子２により開始される。このばね素子２は、針床４より上に設けられる滑り片床６に案内されている。そのため滑り片床６も縦溝６１を持ち、この縦溝６１へばね素子２が挿入されている。ばね素子２は、脚辺２２，２４を有するＵ字状曲げばね部分を持っている。自由脚辺２４は部分２５で外方へ曲げられている。この部分２５によりばね素子２がシンカ１に作用する。図１に示すシンカ１の完全な開放位置では、部分２５がシンカ１の面１６に当たる。これに反し方向Ｄ′へのシンカ１の揺動運動の際、シンカ１の面１７がばね素子部分２５の作用を受ける。これは、以下図２及び３にも示すように、溝６１内におけるばね素子２の移動によって起こる。この移動は、横編機のキャリジのカムによって開始され、このカムがばね素子２のバット２１に作用する。滑り片床６は、結合桟片５により針床４に結合されている。そのため結合桟片５は２つのばち形部分５１，５２を持ち、これらのばち形部分が針床４及び滑り片床６にあって適当に形成された溝にはまっている。ばね素子２の移動運動は、ばね素子２の長穴２３に通されている針金６３を介して限定される。ばね素子２の移動運動は、部分２５を介してシンカ１の回転運動に変換される。シンカ１の必要な運動を開始するために必要なばね素子２の移動を最小にするため、ばね素子２の部分２５は、編目引下げ面１２と回転軸線１８との間隔より小さい間隔をシンカ１の回転軸線１８に対しておいて、シンカ１に作用する。【００１６】  シンカ１が非操作位置で示されている図１とは異なり、図２は完全な閉鎖位置にあるシンカ１を示し、この閉鎖位置でシンカ１の編目引下げ面１２が、針７の編目９を引止めている。そのためシンカ１は、その面１６がシンカ案内片３のストッパ面３４に当接するまで、回転方向Ｄ′へ揺動せしめられる。シンカ１のこの回転運動を開始するため、ばね素子２は矢印方向Ｘへ最大に前方移動せしめられる。ばね素子２の部分２５は今や面１７に作用する。しかしシンカ１は、ばね素子２のばね力に抗して矢印方向Ｄに、限られた範囲で上方へ動くことができる。しかし図２には、大きい編目９に対するシンカ１の位置が示され、シンカ１がばね力に抗して編目９を上方へ引張っていない。編目９が編目引下げ面１２から外れるようなことがあると、編目９を面１３〜１３．２の１つにより再び捕捉することができるであろう。【００１７】  これに反し図３は、小さい編目９を引下げる際の図２による装置を示している。今やシンカ１は、矢印方向Ｄ′とは逆にばね２の力に抗して上方へ揺動せしめられている。揺動運動はばね素子２自体により限定される。Ｕ字状曲げばね２の自由脚辺２４は、今や他方の脚辺２２に当接している。従って編目９によるシンカ１の上方へのそれ以上の押上げが防止される。ここでも付加的な面１３〜１３．２が固定機能を果たす。【００１８】  ばね素子２は、滑り片床６の溝１６内に、摩擦をもって案内されている。これにより、カムがもはやばね素子２に作用しないと、ばね素子は各滑り片位置でその位置を維持する。それによりすべてのばね素子２従ってシンカ１も、所定の揺動位置に保持されることができる。【００１９】  図４は、２つの針床４，４′を持つ横編機の編目の引下げ装置２００を示している。図示した例では、針床の各々が、図１に示すように、シンカ１，１′、ばね素子２，２′及び針７，７′を備えている。これは、第２の針床４′の編目を引下げる装置１０１が、針床４の編目引下げ装置１００と同一であることを意味する。両方の針床４，４′で編目が形成される編物、即ちいわゆる２針床編物では、編目引下げ面１２，１２′の作用が限定されている。従って２針床編物において編目を確実に引下げるため、前部針床４のシンカ１が付加的な機能面１３，１３．１，１３．２を持ち、後部針床４′のシンカ１′が付加的な機能面１３′，１３．１′，１３．２′を持っている。これらの機能面は、対向する針７，７′の針幹上にある編目９′を捕捉し、針７，７′が前進運動を行う時編目９′を引止める。図４による例では、前部針床４のシンカ１の機能面１３は、後部針床４′の針７′の編目９′を捕捉している。
【図面の簡単な説明】
【００２０】
【図１】  完全な開放位置にあるシンカを持つ第１の横編機の針床の断面を示す。
【図２】  完全な閉鎖位置にあるシンカを持つ第１の横編機の針床の断面を示す。
【図３】  中間位置にあるシンカを持つ第１の横編機の断面を示す。
【図４】  対向するシンカを持つ第２の横編機の２つの針床の断面を示す。
【符号の説明】
【００２１】１，１′  シンカ
４，４′  針床
１２，１２′，１３，１３′，１３．１，１３．１′，１３．２，１３．２′  編目引下げ面
【図１】
2005113366.tif 000003
【図２】
2005113366.tif 000004
【図３】
2005113366.tif 000005
【図４】
2005113366.tif 000006